(57)【特許請求の範囲】
【請求項１】
掃除機本体に吸入ブラシと連通するように形成された空気流入路と連結される空気引入管及び掃除機本体にモーター駆動室と連通するように形成された空気排出路と連結される空気排出管を具備し、前記空気引入管を通じて流入されるホコリ及び汚物を含んだ空気について旋回気流を形成するサイクロン本体と；前記サイクロン本体の下側に着脱自在に設置され、前記サイクロン本体の旋回気流により遠心分離されるホコリ及び汚物を収去する汚物収去筒と；及び前記空気排出管を通じてホコリ及び汚物が逆流しないようにするために前記サイクロン本体内部の前記空気排出管入口に設置されたグリル組立体と；を含む真空掃除機のサイクロン集塵装置において、
該サイクロン集塵装置が掃除機本体に装着される面を後面とした場合に、前記汚物収去筒のうち、後面の下段部側に、ランプ位置溝部が、前記汚物収去筒の内側に陥没されるように形成されており、
上記汚物収去筒を掃除機本体に装着すれば、前記掃除機本体に設置された各種細菌を殺菌する紫外線ランプが前記ランプ位置溝部内に位置する構成とし、
且つ、前記サイクロン本体の下段一側と前記汚物収去筒の上段一側をその外側面に対し各々半径方向に突出させ形成された第1及び第2突出部からなされており、前記サイクロン本体において旋回気流から遠心分離される大きい汚物が前記汚物収去筒に円滑に収去されるようにするために前記サイクロン本体と前記汚物収去筒の一側に対応するように形成された突出流路を更に有し、
前記突出流路が、サイクロン集塵装置が掃除機本体に装着される面を後面とする場合に、前面に位置される構成としたことを特徴とする真空掃除機のサイクロン集塵装置。
【請求項２】
前記第2突出部には、少なくとも一対の把持突起が設置されたことを特徴とする請求項１記載の真空掃除機のサイクロン集塵装置。
【請求項３】
前記サイクロン本体と前記汚物収去筒間に位置するように前記サイクロン本体の下段に結合される隔板を具備し、前記隔板には前記突出流路と対応する位置に通孔が形成されたことを特徴とする請求項１記載の真空掃除機のサイクロン集塵装置。
【請求項４】
被掃除面を沿って移動し、真空モーターが装着されるモーター駆動室を備えた吸入ブラシと；前記吸入ブラシに所定角度で回転自在に結びついて、前記吸入ブラシと連通するように形成された空気流入路及び前記モーター駆動室と連通するように形成された空気排出路を有する掃除機本体と；前記空気流入路と連結する空気引入管及び前記空気排出路と連結する空気排出管を具備し、前記空気引入管を通じて流入されるホコリ及び汚物を含んだ空気について旋回気流を形成するサイクロン本体；前記サイクロン本体の下側に着脱自在に設置され、前記サイクロン本体の旋回気流により遠心分離されるホコリ及び汚物を収去する汚物収去筒と；前記空気排出管を通じてホコリ及び汚物が逆流しないようにするために前記サイクロン本体内部の前記空気排出管入口に設置されたグリル組立体と；前記掃除機本体の前記汚物収去筒装着位置に設置してあり紫外線を照射する紫外線ランプと；を含む真空掃除機において、
該汚物収去筒が掃除機本体に装着される面を後面とした場合に、前記汚物収去筒のうち、後面の下段部側に、ランプ位置溝部が、前記汚物収去筒の内側に陥没されるように形成されており、
上記汚物収去筒を掃除機本体に装着すれば、前記紫外線ランプが前記ランプ位置溝部内に位置する構成とし、
更に、前記サイクロン本体の下段一側と前記汚物収去筒の上段一側をその外側面に対し各々半径方向に突出させ形成された第1及び第2突出部からなされており、前記サイクロン本体において旋回気流から遠心分離される大きい汚物が前記汚物収去筒に円滑に収去されるようにするために前記サイクロン本体と前記汚物収去筒の一側に対応するように形成された突出流路を有し、
前記突出流路は、サイクロン集塵装置が掃除機本体に装着される面を後面とする場合に、前面に位置される構成としたことを特徴とする真空掃除機のサイクロン集塵装置。
【請求項５】
前記第2突出部には少なくとも一対の把持突起が設置されたことを特徴とする請求項４記載の真空掃除機のサイクロン集塵装置。
【請求項６】
前記サイクロン本体と前記汚物収去筒間に位置するように前記サイクロン本体の下段に結合する隔板を具備して、前記隔板には前記突出流路と対応する位置に通孔が形成されたことを特徴とする請求項４記載の真空掃除機のサイクロン集塵装置。
【発明の詳細な説明】
【０００１】
【発明の属する技術分野】
本発明は、真空掃除機に係わり、より具体的には掃除機の吸入口を通じて流入されるホコリ及び汚物を含んだ吸入空気について旋回気流を形成するもので、遠心力により旋回気流からホコリ及び汚物を分離収去するサイクロン集塵装置及びこれを具備する真空掃除機に関する。
【０００２】
【従来の技術】
前記のような真空掃除機用サイクロン集塵装置及びこれを具備する真空掃除機の典型的な一例が図1に示されていて、これを簡単に説明する。
【０００３】
図1で、参照符号100はサイクロン集塵装置、200は掃除機本体、そして、300は吸入ブラシである。図1のように、サイクロン集塵装置100は、サイクロン本体10、汚物収去筒20、グリル組立体30及び突出流路40を具備する。
【０００４】
サイクロン本体10は、空気引入管11と空気排出管12を具備する。空気引入管11は、掃除機本体200に吸入ブラシ300の吸入口(図示せず)と連通するように形成された空気流入路210に連結する。そして、空気排出管12は、掃除機本体200に吸入ブラシ300のモーター駆動室310と連通するように形成された空気排出路220に連結する。吸入ブラシ300を通じて流入されるホコリ及び汚物を含んだ空気は空気流入路210及び空気引入管11を通じてサイクロン本体10の接線方向に流入され、これによりサイクロン本体10には旋回気流が形成される。この旋回気流に含まれたホコリ及び汚物は遠心力により分離され、浄化された空気は空気排出管12、空気排出路220及びモーター駆動室310を経て外部に排出される。
【０００５】
汚物収去筒20は、サイクロン本体10の下部に着脱自在に結びついて、サイクロン本体10の旋回気流により遠心分離されるホコリ及び汚物を収去する。
【０００６】
グリル組立体30は、図２のように、サイクロン本体10内部の空気排出管12入口に設置され、旋回気流から分離されたホコリ及び汚物が空気排出管12を通じて逆流しないようにする。このようなグリル組立体30は、グリルボディー31及びこのグリルボディー31の外周面に空気排出管12と連通するように配置された多数の流路32を具備する。
【０００７】
突出流路40は、サイクロン本体10の旋回気流から分離される大きい汚物がその下部の汚物収去筒20に円滑に収去されるためのもので、この突出流路40はサイクロン本体10の下段部と汚物収去筒20の上段部一側を外側面に対して各々半径方向に突出させて形成される第1及び第2突出部40a、40bからなされる。
【０００８】
この一般的なサイクロン集塵装置は、図２のように、サイクロン本体10の空気引入管11及び空気排出管12が各々掃除機本体200の空気流入路210及び空気排出路220に連結されるように掃除機本体200に装着される。
【０００９】
掃除が始まれば、モーター駆動室310のモーターの駆動によって吸入ブラシ300に吸入力が発生する。この吸入力により被掃除面のホコリ及び汚物を含んだ空気が吸入ブラシ300、空気流入路210及び空気引入管11を通じてサイクロン本体10内に流入される。この際、流入される空気は、空気引入管11によりサイクロン本体10の内周に沿って斜線方向へ誘導されて旋回気流を形成し、これにより空気中に含まれたホコリ及び汚物は遠心力により分離されて汚物収去筒20に収去される。そして、浄化された空気はグリル組立体30の流路32、空気排出管12、空気排出路220及びモーター駆動室310を通じて外部に排出される。このような汚物分離過程において大きい汚物は突出流路40に沿って汚物収去筒20に円滑に収去され、大きい汚物がサイクロン本体10内に存在して前記大きい汚物によりグリル組立体30の流路32がふさがることが生じない。
【００１０】
前記のような構成及び作用によって、空気から汚物を分離して収去するサイクロン集塵装置を具備する真空掃除機は、図2に示すように、掃除時掃除機本体200が吸入ブラシ300に対し所定角度で傾斜した状態で維持される場合が多いし、掃除機本体200に装着されたサイクロン集塵装置100も掃除機本体200の傾斜方向に傾斜した状態を維持する。これに伴い汚物収去筒20に保存される汚物は、図2に一点鎖線で示したように、汚物収去筒20の突出流路40近辺の汚物貯蔵高さが高い状態で保存されて、これにより汚物収去筒20の突出流路40近辺の貯蔵汚物とサイクロン本体10との間が近接することによって突出流路40を通した汚物の逆流現象が発生する。このように逆流する汚物は、結局グリル組立体30の流路32を通じて外部に排出されるので、掃除効率の低下及び周辺環境を汚染させて、また、流路32を通過されない大きい汚物は流路32を塞ぐ結果を招くので掃除効率が落ちることが避けられない。このような汚物の逆流は、突出流路40がサイクロン本体10の後面、すなわち掃除機本体200に装着される面に形成されることによって発生することでその構造変更が要求されている。
【００１１】
一方、前記のようなサイクロン集塵装置を具備する真空掃除機において汚物が保存される空間である汚物収去筒20は、各種細菌が棲息及び繁殖するに非常に適当な場所を提供する。これにより汚物収去筒20にはダニのような各種細菌が存在するのに、この細菌が汚物の逆流現象に便乗して外部に排出されたり汚物収去筒20の汚物を空ける過程で外部に流出され、周辺の衛生環境を汚染させる問題点が生じている。
【００１２】
【発明が解決しようとする課題】
本発明は、前記のような点を鑑みて案出されたもので、掃除機使用時汚物収去筒の汚物貯蔵空間、特に突出流路近辺の貯蔵汚物とサイクロン本体間の空間を大きく確保することによって突出流路を通じて逆流する汚物の量を顕著に減らすことができる真空掃除機用サイクロン集塵装置を提供するところにその目的がある。
【００１３】
本発明の他の目的は、汚物収去筒内に棲息する各種細菌を殺菌できることによって周辺の衛生環境を清潔に維持できる真空掃除機用サイクロン集塵装置を提供するところにある。
【００１４】
本発明のまた他の目的は、前記のような特徴を有するサイクロン集塵装置を具備する真空掃除機を提供するところにある。
【００１５】
【課題を解決するための手段】
前記目的を達成するための本発明による真空掃除機用サイクロン集塵装置は、掃除機本体に吸入ブラシと連通するように形成された空気流入路と連結される空気引入管及び掃除機本体にモーター駆動室と連通するように形成された空気排出路と連結される空気排出管を具備し、前記空気引入管を通じて流入されるホコリ及び汚物を含んだ空気について旋回気流を形成するサイクロン本体と；前記サイクロン本体の下側に着脱自在に設置され、前記サイクロン本体の旋回気流により遠心分離されるホコリ及び汚物を収去する汚物収去筒と；及び前記空気排出管を通してホコリ及び汚物が逆流しないようにするために前記サイクロン本体内部の前記空気排出管入口に設置されたグリル組立体と；を含み、前記汚物収去筒の一側には前記掃除機本体に設置された紫外線ランプが位置するランプ位置溝部がその内側に陥没するように形成されて汚物収去筒内に存在する各種細菌を殺菌することを特徴とする。
【００１６】
前記他の目的を達成するための本発明による真空掃除機用サイクロン集塵装置は、前記サイクロン本体で旋回気流から遠心分離される大きい汚物が前記汚物収去筒に円滑に収去されるために前記サイクロン本体と前記汚物収去筒の一側に対応するように形成された突出流路とを含み、前記突出流路はサイクロン集塵装置が掃除機本体に装着される面を後面とする際前面に位置されたことを特徴とする。
【００１７】
これによれば、掃除機使用時汚物収去筒のランプ位置溝部に位置した紫外線ランプから汚物収去筒内部への継続的な紫外線照射がなされ汚物収去筒に存在する各種細菌を殺菌する。
【００１８】
また、サイクロン集塵装置の突出流路がその前面に突出形成されるために、掃除機使用時汚物収去筒に貯蔵された汚物の貯蔵高さが突出流路近辺で低くなり、これにより突出流路近辺の汚物とサイクロン本体間の空間が大きく確保されて前記突出流路を通した汚物の逆流を減らすことができる。
【００１９】
ここで、前記突出流路は、前記サイクロン本体の下段一側と前記汚物収去筒の上段一側をその外側面に対し各々半径方向に突出させることにより形成された第1及び第2突出部からなされて、前記第2突出部には少なくとも一対の把持突起が設置できる。
【００２０】
また、本発明による真空掃除機用サイクロン集塵装置は、前記サイクロン本体と前記汚物収去筒間に位置するように前記サイクロン本体の下段に結合する隔板を具備し、前記隔板には前記突出流路と対応する位置に通孔が形成されたことを特徴とする。これによれば、前記隔板によりサイクロン本体と汚物収去筒が区画されるので、汚物の逆流を効果的に防止できる。
【００２１】
一方、前記本発明のまた他の目的を達成するための本発明による真空掃除機は、被掃除面を沿って移動し、真空モーターが装着されるモーター駆動室を備えた吸入ブラシと；前記吸入ブラシに所定角度で回転自在に結びついて、前記吸入ブラシと連通するように形成された空気流入路及び前記モーター駆動室と連通するように形成された空気排出路を有する掃除機本体と；前記空気流入路と連結する空気引入管及び前記空気排出路と連結する空気排出管を具備して、前記空気引入管を通じて流入されるホコリ及び汚物を含んだ空気について旋回気流を形成するサイクロン本体と；前記サイクロン本体の下側に着脱自在に設置され、前記サイクロン本体の旋回気流により遠心分離されるホコリ及び汚物を収去する汚物収去筒と；前記空気排出管を通じてホコリ及び汚物が逆流しないようにするために前記サイクロン本体内部の前記空気排出管入口に設置されたグリル組立体と；前記掃除機本体の前記汚物収去筒装着位置に設置された紫外線ランプと；及び前記汚物収去筒を前記掃除機本体に装着する際前記紫外線ランプが前記汚物収去筒に位置して紫外線を照射するように前記汚物収去筒の一側にその内側に陥没なるように形成されたランプ位置溝部とを含むことを特徴とする。
【００２２】
【発明の実施の形態】
本発明の上述した目的及び他の長所は、添付図面を参照して本発明の好ましい実施例を詳細に説明することによってより明白になる。参考で本発明の実施例を説明するにおいて、従来とその構成及び作用が同じ部分に対しては同じ参照符号を付して引用する。
【００２３】
図３のように、本発明の一実施例による真空掃除機用サイクロン集塵装置100は、サイクロン本体10、汚物収去筒20、グリル組立体30、突出流路40及びランプ位置溝部50を含む。そして、真空掃除機は、図４のように、サイクロン集塵装置100、掃除機本体200、吸入ブラシ300及び紫外線ランプ500を含む。
【００２４】
サイクロン本体10には、空気引入管11と空気排出管12が設けられ、サイクロン本体10が装着される掃除機本体200には吸入ブラシ300の吸入口(図示せず)と連通する空気流入路210及び吸入ブラシ300のモーター駆動室310と連通する空気排出路220が設けられる。サイクロン本体10はその空気引入管11が空気流入路210に、そして、空気排出管12が空気排出路220に連結するように掃除機本体200に装着される。したがって、掃除時吸入ブラシ300を通じて流入されるホコリ及び汚物を含んだ空気は空気流入路210及び空気引入管11を通じてサイクロン本体10の接線方向に流入され、これによりサイクロン本体10には旋回気流が形成される。この旋回気流に含まれたホコリ及び汚物は遠心力により分離され、浄化された空気は空気排出管12、空気排出路220及びモーター駆動室310を経て外部に排出される。
【００２５】
汚物収去筒20は、サイクロン本体10の下部に着脱自在に結びついて、サイクロン本体10の旋回気流により遠心分離されるホコリ及び汚物を収去する。
【００２６】
グリル組立体30は、図5のように、サイクロン本体10内部の空気排出管12入口に設置され、旋回気流から分離されたホコリ及び汚物が空気排出管12を通じて逆流しないようにする。このようなグリル組立体30は、グリルボディー31及びこのグリルボディー31の外周面に空気排出管12と連通するように配置された多数の流路32を具備する。
【００２７】
突出流路40は、サイクロン本体10の旋回気流から分離された大きい汚物をその下部の汚物収去筒20に円滑に収去するためのもので、この突出流路40はサイクロン本体10の下段部と汚物収去筒20の上段部一側を外側面に対して各々半径方向に突出させて形成される第1及び第2突出部40a、40bからなされる。このような突出流路40の構造及び形状は従来の場合と大きく違わないが、本発明によるサイクロン集塵装置の突出流路40の特徴はその形成位置が従来とは異なり、図5に示すように、サイクロン集塵装置が掃除機本体200に装着される面を後面とする際、前面に位置するという点である。これによれば、掃除機使用時掃除機本体200が所定角度に傾斜することによってサイクロン集塵装置も同じ方向で傾斜した状態で汚物を分離収去する過程において、汚物収去筒20に保存される汚物の貯蔵高さ、特に汚物収去筒20の突出流路40近辺の汚物貯蔵高さが、図に一点鎖線で示したように、低くなる利点がある。これによって汚物収去筒20の突出流路40近辺の汚物とサイクロン本体10間の空間が大きく確保されるために、突出流路40を通じて逆流する汚物の量を従来に比べて大幅に減らすことができる。
【００２８】
一方、第2突出部40b、すなわち汚物収去筒20側に形成される第2突出部40bには、把持のために少なくとも一対の把持突起41が形成されて、これにより使用者は把持突起41を手でとらえて便利に汚物収去筒20を掃除機本体200やサイクロン本体10から着脱できる。
【００２９】
ランプ位置溝部50は、汚物収去筒20の後面下段部側に汚物収去筒20の内側に所定深さを持ち陥没されるように形成され、紫外線ランプ500は掃除機本体200のサイクロン集塵装置装着位置の一側に設置される。汚物収去筒20を掃除機本体200に装着すれば、そのランプ位置溝部50に紫外線ランプ500が位置する。紫外線ランプ500は掃除機駆動と共に点灯されて、したがって、掃除機使用時紫外線ランプ500により発生する紫外線は汚物収去筒20の内部に継続的に照射される。これにより汚物収去筒20内に棲息する各種細菌は前記紫外線により殺菌除去でき、したがって、汚物収去筒20に存在する各種細菌が掃除機外部に排出及び/または流出されない。すなわち、周辺の衛生環境を清潔に維持できる。
【００３０】
一方、図６のように、本発明の他の実施例によれば、サイクロン集塵装置は、サイクロン本体10と汚物収去筒20間に位置するようにサイクロン本体10の下段に結合する隔板60を具備する。隔板60には、突出流路40と対応する位置に通孔61が形成され、これによりサイクロン本体10において空気から分離される各種汚物は通孔61を通じて汚物収去筒20に排出されて収去できる。しかし、汚物収去筒20に収去された汚物はこの汚物収去筒20とサイクロン本体10が隔板60により分離されるように区画されているために、サイクロン本体10側に逆流し難い。すなわち、隔板60により汚物の逆流を効果的に防止できる。ここで、隔板60を除いた他の構成は先に説明した一実施例と同じなので同じ参照符号を附与してその詳細な説明は省く。
【００３１】
上述したように構成された本発明によるサイクロン集塵装置が備わった真空掃除機を利用して掃除する状態が、図5に概略的に示されている。サイクロン集塵装置100は、サイクロン本体10の空気引入管11が掃除機本体200の空気流入路210と、そして、空気排出管12が空気排出路220に連結されるように掃除機本体200に装着され、汚物収去筒20はサイクロン本体10に結合する。また、前記のようなサイクロン集塵装置100の掃除機本体200に対する装着で掃除機本体200に備わった紫外線ランプ500は汚物収去筒20のランプ位置溝部50に位置する。
【００３２】
掃除が始まれば、モーター駆動室310のモーターの駆動によって吸入ブラシ300に吸入力が発生する。この吸入力により被掃除面のホコリ及び汚物を含んだ空気が吸入ブラシ300、空気流入路210及び空気引入管11を通じてサイクロン本体10内に流入される。この際、流入される空気は、空気引入管11によりサイクロン本体10の内周に沿って斜線方向に誘導されて旋回気流を形成し、これにより空気中に含まれたホコリ及び汚物は遠心力により分離されて汚物収去筒20に収去される。そして、浄化された空気はグリル組立体30の流路32、空気排出管12、空気排出路220及びモーター駆動室310を通じて外部に排出される。このような一般的な汚物分離過程は従来の場合と大きく違わない。
【００３３】
ただし、本発明は大きい汚物排出経路を成す突出流路40がサイクロン集塵装置の前面に形成されているために、汚物収去筒20に保存される汚物の高さが図の一点鎖線で形成される。すなわち、汚物収去筒20の突出流路40近辺の汚物貯蔵高さが低くなりこの汚物とサイクロン本体10間の空間が大きく確保され、したがって、突出流路40を通じて逆流する汚物の量を顕著に減少させることができる。
【００３４】
また、本発明は、掃除機使用中汚物収去筒20のランプ位置溝部50に位置された紫外線ランプ500から汚物収去筒20の内部に対する継続的な紫外線照射がなされ、したがって、汚物収去筒20内に存在する各種細菌が殺菌除去される。すなわち、汚物収去筒20内に細菌が棲息出来ないので細菌による周辺の衛生環境が汚染されるおそれがない。
【００３５】
【発明の効果】
以上で説明したように本発明によれば、サイクロン集塵装置の前面に突出流路が形成されているため、掃除機使用時汚物収去筒に収去されて保存される汚物とサイクロン本体間の空間を大きく確保できるので、突出流路を通じて逆流する汚物の量を顕著に減らすことができる。したがって、突出流路を通じて多量の汚物が逆流することで発生する従来のような周辺環境の汚染及びグリル組立体の流路がふさがる問題を解消できる。
【００３６】
また、本発明によれば、掃除機使用時汚物収去筒に継続的な紫外線照射がなされるので、汚物収去筒内の細菌を殺菌して除去できて、細菌により周辺の衛生環境が汚染されることがない。
【００３７】
以上、本発明の原理を例示するための好ましい実施例と関連して説明して図示したが、本発明はそのように図示され説明されたそのままの構成及び作用に限られない。むしろ、添付された特許請求範囲の思想及び範疇を逸脱せずに本発明に対する多数の変形及び修正が可能なことを当業者はよく理解することができる。したがって、そうした全ての適切な変形及び修正と均等物も本発明の範囲に属する。
【図面の簡単な説明】
【図１】一般的な真空掃除機のサイクロン集塵装置及びこれを具備する真空掃除機を概略的に示す斜視図である。
【図２】図１に示すサイクロン集塵装置が備わった真空掃除機の掃除時状態を図示した断面図である。
【図３】本発明の一実施例による真空掃除機のサイクロン集塵装置を示す斜視図である。
【図４】図３に示す本発明の一実施例によるサイクロン集塵装置を具備する真空掃除機を概略的に示した斜視図である。
【図５】図４に示す真空掃除機の掃除時状態を示した断面図である。
【図６】本発明の他の実施例によるサイクロン集塵装置を概略的に示す斜視図である。
【符号の説明】
１０    サイクロン本体
１１    空気引入管
１２    空気排出管
２０    汚物収去筒
３０    グリル組立体
３１    グリルボディー
３２    流路
４０    突出流路
４０ａ  第１突出部
４０ｂ  第２突出部
４１    把持突起
５０    ランプ位置溝部
６０    隔板
６１    通孔
１００  真空掃除機用サイクロン集塵装置
２００  掃除機本体
２１０  空気流入路
２２０  空気排出路
３００  吸入ブラシ
３１０  モーター駆動室
５００  紫外線ランプ
【図１】
0003764410.tif 000002
【図２】
0003764410.tif 000003
【図３】
0003764410.tif 000004
【図４】
0003764410.tif 000005
【図５】
0003764410.tif 000006
【図６】
0003764410.tif 000007